(57)【要約】コンパクトディスクホルダ機能２００とコンパクトディスクアダプタ機能３００とを合わせ持つ販売促進用装置であって、該装置は、コンパクトディスクを容器に取り外し自在に装着するように構成されており、該装置は、さらに、放射状に配置された複数の要素２１４を、内側に向かう放射状の第１共面から外側に向かう放射状の第２共面に回転させることで、ホルダ機能からアダプタ機能へ変換するように構成されている。
2006518309.tif 000002
【特許請求の範囲】
【請求項１】
取り外し可能に取り付けられている販売促進用材料のキャリアを有する容器を含む販売促進用システム。
【請求項２】
請求項１の販売促進用システムにおいて、上記容器はボトルである。
【請求項３】
請求項１または２の販売促進用システムにおいて、上記販売促進用材料のキャリアは、少なくとも片面にデータが入っているコンパクトディスクである。
【請求項４】
請求項３の販売促進用システムにおいて、上記コンパクトディスクは外径が約54mmである。
【請求項５】
請求項３の販売促進用システムにおいて、上記コンパクトディスクには、予め録音された音楽が入っている。
【請求項６】
請求項３の販売促進用システムにおいて、上記コンパクトディスクには、予め録画された映像あるいは画像が入っている。
【請求項７】
請求項３の販売促進用システムにおいて、上記コンパクトディスクには、コンピュータを使用して読み取り可能な、予め記録されたデータが入っている。
【請求項８】
請求項３の販売促進用システムにおいて、上記コンパクトディスクには、インターネットでやりとり可能な、予め記録されたデータが入っている。
【請求項９】
請求項３の販売促進用システムにおいて、上記コンパクトディスクには電子ゲーム機を使用して読み取り可能な、予め記録されたゲームが入っている。
【請求項１０】
請求項３〜９の中のいずれかの販売促進用システムは、さらに、コンパクトディスクを保持することが可能なアダプタを含み、トレイ型のコンパクトディスクプレーヤーに差し込める大きさと形状を有しており、上記コンパクトディスクがプレーヤーで再生することを可能にする。
【請求項１１】
請求項10の販売促進用システムにおいて、上記アダプタは、上記コンパクトディスクの外周の直径に合致する直径の中央穴を有すると共に、上記穴の中に上記コンパクトディスクを同心状に保持する手段を有し、上記アダプタは標準のコンパクトディスクの一般的な形と大きさとは異なったものである。
【請求項１２】
請求項１または２の販売促進用システムにおいて、上記販売促進用材料のキャリアは、少なくとも片面に販売促進用の特質のデータが入っているトークンである。
【請求項１３】
請求項12の販売促進用システムにおいて、トークンは外径が略54mmのディスクである。
【請求項１４】
請求項２の販売促進用システムにおいて、上記ボトルはプラスティックあるいはガラスから形成されている。
【請求項１５】
請求項14の販売促進用システムにおいて、上記ボトルは炭酸飲料用である。
【請求項１６】
請求項１〜15の中のいずれかの販売促進用システムにおいて、上記容器は、首状開口部及び該開口部の閉鎖キャップを有する上方部と、基部と、概ね管状の側部とを有する。
【請求項１７】
請求項16の販売促進用システムにおいて、上記販売促進用材料のキャリアは、上記容器のキャップに取り外し可能なように取り付けられている。
【請求項１８】
請求項16の販売促進用システムにおいて、上記販売促進用材料のキャリアは、上記容器の基部に取り外し可能なように取り付けられている。
【請求項１９】
請求項16の販売促進用システムにおいて、上記販売促進用材料のキャリアは、上記容器の側部に取り外し可能なように取り付けられている。
【請求項２０】
請求項17〜19の中のいずれかの販売促進用システムにおいて、上記販売促進用材料のキャリアの最大サイズは、キャリア上の上記容器の突起部の大きさの最小のよりもおおよそ大きくなってはならない。
【請求項２１】
請求項１〜20の中のいずれかの販売促進用システムにおいて、上記販売促進用材料のキャリアは、上記容器に接着剤の使用により取り外し可能なように取り付けてある。
【請求項２２】
請求項１〜20の中のいずれかの販売促進用システムにおいて、上記販売促進用材料のキャリアは、上記容器に分離可能やコーティングやラッピングを用いて取り外し可能なように取り付けてある。
【請求項２３】
請求項1〜20の中のいずれかの販売促進用システムにおいて、上記販売促進用材料のキャリアは、上記容器に、上記容器及び上記キャリアのいずれか一方あるいは両方において一体的の取り外し可能な掛止手段で、取り外し可能なように取り付けてある。
【請求項２４】
請求項1〜20の中のいずれかの販売促進用システムにおいて、上記販売促進用材料のキャリアは、該キャリアを取り外し可能に保持する掛止手段によって該容器に取り外し可能に装着されており、該容器に取り外し可能に掛止されている。
【請求項２５】
請求項24の販売促進用システムにおいて、上記掛止手段は、上記容器及び上記キャリアから独立している。
【請求項２６】
請求項24または25の販売促進用システムにおいて、上記掛止手段は、上記キャリアの凹部内に取り外し可能に保持されているキャップであり、上記容器の一部に取り外し可能に掛止されている。
【請求項２７】
請求項1〜20の中のいずれかの販売促進用システムにおいて、上記販売促進の材料のキャリアは、上記容器に、容器上に設けられ上記キャリアと連結された手動で取り外し可能な閉鎖手段により、取り外し可能に取り付けられている。
【請求項２８】
請求項1〜20の中のいずれかの販売促進用システムにおいて、上記販売促進用材料のキャリアは、上記容器にボンド接着手段により取り外し可能に取り付けられている。
【請求項２９】
請求項20〜28の中のいずれかの販売促進用システムにおいて、上記販売促進用材料のキャリアは、上記容器に不正にいたずらすることができない様式で取り外し可能に取り付けられている。
【請求項３０】
請求項1〜29の中のいずれかの販売促進用システムにおいて、上記キャリアは、上記容器の凹部に少なくとも部分的に保持されている。
【請求項３１】
請求項1〜30の中のいずれかの販売促進用システムにおいて、上記キャリアは、上記容器の表面に対して保持されている。
【請求項３２】
図面および/あるいは実施例の一つあるいは複数のいずれかに実質的に記載されている販売促進用システム。
【請求項３３】
消費者に販売促進用のシステムを選ばせるようにした商品の販売促進方法であって、上記販売促進用システムは、取り外し可能に取り付けられている販売促進用情報のキャリアを有する容器を含み、上記商品は容器の中に収容されており、上記販売促進用の情報は上記消費者の興味を引き、それによって上記消費者が上記販売促進用システムを購入し、そして上記キャリアを上記容器から取り外して、上記販売促進用情報を得る。
【請求項３４】
請求項33の方法において、上記販売促進用システムは、請求項２〜32で規定したものの中のいずれかに該当する。
【請求項３５】
図面および/あるいは実施例の一つあるいは複数のいずれかに実質的に記載されている販売促進方法。
【請求項３６】
販売促進用の情報のキャリアを凹部に取り外し可能に保持するカップを含み、容器のある部分に取り外し可能に掛止されている販売促進用物品。
【請求項３７】
請求項36の販売促進用物品において、上記販売促進の情報のキャリアは、少なくとも片面に上記販売促進用の特質のデータが入っているコンパクトディスク又はトークンである。
【請求項３８】
請求項36又は37の販売促進用物品において、上記販売促進用情報のキャリアは外周の直径が約54mmのディスクである。
【請求項３９】
請求項36〜38のいずれかの販売促進用物品において、上記容器はボトルである。
【請求項４０】
請求項39の販売促進用物品において、上記カップは、ボトルの基部に取り外し可能に掛止されている。
【請求項４１】
販売促進用の情報のキャリアを凹部に取り外し可能に保持し、容器のある部分に取り外し可能に掛止されているカップを有する販売促進用物品であって、上記物品は、複数の図面のいかなる一つの図面に実質的に記載されているものである。
【請求項４２】
コンパクトディスクホルダ機能とコンパクトディスクアダプタ機能とを合わせ持つ販売促進用装置であって、
該装置は、コンパクトディスクを容器に取り外し自在に装着するように構成されており、
該装置は、さらに、放射状に配置された複数の要素を、内側に向かう放射状の第１共面から外側に向かう放射状の第２共面に回転させることで、ホルダ機能からアダプタ機能へ変換するように構成されていることを特徴とする販売促進用装置。
【請求項４３】
上記ホルダ機能は、非標準直径のコンパクトディスクの容器に対する取り外し可能な取付を提供する、請求項４２に記載の装置。
【請求項４４】
上記アダプタ機能は、上記非標準のコンパクトディスクをトレイ型のCDプレーヤーでの再生を提供する、請求項４３に記載の装置。
【請求項４５】
上記非標準のコンパクトディスクは、標準の120mmのディスクよりも小さい直径を持つ、請求項４３，４４いずれかに記載の装置。
【請求項４６】
上記容器は、上端密閉リムを備えた円形断面からなる金属製の飲料容器である、請求項４４，４５いずれかに記載の装置。
【請求項４７】
上記容器は円形状の蓋を持つジャーである、請求項４４乃至４６いずれかに記載の装置。
【請求項４８】
上記容器は円筒状の基部を持つボトルである、請求項４４乃至４７いずれかに記載の装置。
【請求項４９】
上記容器は、上端密閉リムを備えた円形断面からなる金属製缶である、請求項４４乃至４８いずれかに記載の装置。
【請求項５０】
上記非標準のコンパクトディスクは、上記容器の外径よりも小さい直径を持つ、請求項４４乃至４９いずれかに記載の装置。
【請求項５１】
上記装置には下向きに垂下する環状縁部が設けてあり、上記縁部はスライド装着によって、上記密閉リムに取り外し可能に係合できるような内径を有する、請求項４７乃至５０いずれかに記載の装置。
【請求項５２】
上記環状縁部は、スナップ装着によって、該密閉リムに取り外し可能に係合するように構成された、少なくとも一つの内方へ突出する環状の隆起部を備えた内側表面を有する、請求項５１に記載の装置。
【請求項５３】
上記縁部の内径は、押圧装着によって、円形状の蓋に取り外し可能に係合するように適合されている、請求項５１に記載の装置。
【請求項５４】
前記縁部の内径及び内側表面は、ボトルの円筒状の基部に取り外し可能に係合できるように適合されている請求項５１に記載の装置。
【請求項５５】
上記縁部は、その上端内方端縁に沿って、上端内方端縁から内側へ向かって半径方向に延出する複数のリーフ要素に分離可能に連結されている請求項５１乃至５４いずれかに記載の装置。
【請求項５６】
上記リーフ要素は略台形状の形状を有し、凹状の湾曲基縁から内側へ向かって半径方向に先細りになる側端縁を有している請求項５５に記載の装置。
【請求項５７】
上記リーフ要素は、中央ハブに分離可能に連結されている請求項５５あるいは５６に記載の装置。
【請求項５８】
上記中央ハブは、押圧装着によって、非標準のコンパクトディスクの標準の直径の中心穴に係合することで、上記非標準のコンパクトディスクを保持するように適合された下向きに突出するボスを備えていることを特徴とする請求項16の装置。
【請求項５９】
非標準のコンパクトディスクは、上記装置がコンパクトディスクのホルダとして機能しているときに上記装置内に保持されており、上記コンパクトディスクの外径は上記環状縁部の内径内にあり、上記コンパクトディスクの表面が上記リーフ要素の底面に近接しており、上記コンパクトディスクの標準の直径の中心穴が上記中央ハブの下方に突出したボスと係合している、請求項58に記載の装置。
【請求項６０】
上記リーフ要素と上記縁部との接続、及び、上記リーフ要素と上記中央ハブとの接続は、ほっそりした壊わしやすい要素によるものである請求項５５乃至５９いずれかの装置。
【請求項６１】
上記複数のリーフ要素は、可撓性要素によって、前記縁部の上端内側端に近接する隅部において、つながっている請求項５５乃至６０いずれかの装置。
【請求項６２】
上記凹状湾曲基縁が上記縁部の上端内側端に近接し、上記凹状湾曲基縁が上記非標準のコンパクトディスクの半径と同じ半径の弧を形成する請求項５５乃至６１いずれかの装置。
【請求項６３】
複数のリーフ要素の各リーフ要素の凹状湾曲基縁は、該リーフ要素の上端から外方に延出する少なくとも一対のタブと、該リーフ要素の下端から外方に延出する少なくとも一つの突縁を有し、該少なくとも一対のタブと少なくとも一つの突縁は間隔を存して離間することで、標準の厚みのコンパクトディスクの端縁を嵌め込むように構成されている請求項５６乃至６２いずれかに記載の装置。
【請求項６４】
前掲いずれかの請求項の装置において、前記装置のコンパクトディスクのホルダ機能からコンパクトディスクのアダプタ機能への変換は、以下の工程を含む：
(ｆ) 前記リーフ要素を前記縁部に接続するほっそりした壊しやすい要素を壊して、前記装置から前記縁部を取り外し、
(ｇ) 前記非標準のコンパクトディスクを、前記中央ハブのボスから取り外し、
(ｈ) 前記リーフ要素に接続するほっそりした破壊しやすい要素を壊して、前記装置から前記ハブを取り外し、
(ｉ) 各リーフ要素を、複数のリーフ要素の共通面から、前記可撓性要素において、内方へ放射状の第１共面から外方へ放射状の第２共面へと回転させ、
(ｊ) 前記非標準のコンパクトディスクの端縁を、各少なくとも一対のタブと少なくとも一つの突縁との間に嵌め込み、前記リーフ要素を備えた非標準のコンパクトディスクからなる共面アセンブリを形成する。
【請求項６５】
容器を備えた販売促進用の材料の提示の方法において、上記方法は取付手段を含み、前記取付手段はアダプタ手段に変換可能であり、上記方法は下記の工程を含む：
(ｄ) 非標準のコンパクトディスクの形態での販売促進用の材料を用意し、
(ｅ) 非標準のコンパクトディスクを前記取付手段へ挿入し、
(ｆ) 前記取付手段を前記容器へ取り付ける。
【請求項６６】
請求項65における方法において、上記アダプタ手段は、非標準のコンパクトディスクをトレイ型のＣＤプレーヤーで再生可能にする。
【請求項６７】
請求項65又は66の方法において、上記非標準のコンパクトディスクは、標準の120mmのコンパクトディスクよりも小さいものである。
【請求項６８】
請求項65〜67の方法において、上記取付手段は下記の工程でアダプタ手段に変換される：
(ｅ) 上記取付手段を上記容器から取り外し、
(ｆ) 上記非標準のコンパクトディスクを上記取付手段から取り外し、
(ｇ) 上記付着手段を上記アダプタ手段を形成するように変更し、
(ｈ) 上記アダプタ手段を上記非標準のコンパクトディスクに取り付ける。
【請求項６９】
飲料容器の閉鎖用蓋において、該閉鎖用蓋は、中央の支持部と販売促進用のデジタルデータの記憶ディスクの保持手段を備えており、上記閉鎖用蓋は単一のプラスティック品から形成されている。
【請求項７０】
請求項59の蓋において、上記飲料容器は、円形の上端を持つ使い捨てのカップ型をした飲料容器である。
【請求項７１】
請求項69又は70の蓋において、前記中央支持手段は、中央隆起円形部分であり、前記部分は、基部における記憶ディスクの中心の穴よりもわずかに小さい直径、上部における中心の穴よりもわずかに大きい直径を備えている。
【請求項７２】
請求項69〜71の中のいずれかの蓋において、上記飲料容器はプラスティックの材料で形成されている。
【請求項７３】
請求項69〜71の中のいずれかの蓋において、上記飲料容器は紙で形成されている。
【請求項７４】
請求項69〜73の中のいずれかの蓋において、該蓋は、その周縁に環状逆Ｕ型のリムを備えた円形の中央部分から構成される。
【請求項７５】
請求項74の蓋において、上記円形の中央部分は、円形状の隆起中央部を含み、該隆起中央部分の直径は、デジタルデータの記憶ディスクの中心の穴の直径に略等しい。
【請求項７６】
請求項73又は74の蓋において、上記リムは、上記飲料容器の円形状の上端縁に着座するように適合されており、上記リムと上記円形の中央部分は、上記飲料容器の内面と上記リムの内側環状表面との間に摩擦による装着を提供するような寸法に形成されている。
【請求項７７】
請求項74又は75の蓋において、上記ディスクが上記円形の中央部分に載置されている時には、上記隆起中央部分が上記円形の中央部分から上方に突出し、デジタルデータ記憶ディスクの上側表面の上に突出している。
【請求項７８】
請求項74〜77の中のいずれかの蓋において、上記円形隆起中央部分の下方部位の直径は、上記中心穴の直径よりもわずかに小さい。
【請求項７９】
請求項77又は78の蓋において、上記円形の中央部分の上に載置されている上記デジタルデータ記憶ディスクの上側表面の上に突出している前記隆起円形中央部分の直径は、上記中心の穴よりもわずかに大きい。
【請求項８０】
請求項77〜79の中のいずれかの蓋において、上記隆起円形中央部分は、その上に十字を形成するように配置されたスリットを備えており、飲料用のストローを突き刺せるようになっている。
【請求項８１】
請求項74〜80の中のいずれかの蓋において、上記環状リムに隣接した上記円形中央部分の環状部分は、凹んだ溝部を形成しており、上記デジタルデータ記憶ディスクの表面が該凹んだ溝部上に重なっている。
【請求項８２】
請求項69〜81の中のいずれかの蓋において、上記デジタルデータ記憶ディスクは約80mmの直径を持つ。
【請求項８３】
請求項69〜82の中のいずれかの蓋において、上記デジタルデータ記憶ディスクは円形の透明な保護用スリーブを備えている。
【請求項８４】
使い捨ての飲料容器を備えた販売促進用のデジタルデータ記憶ディスクを消費者に用意する方法であって、上記方法は上記飲料カップを備えた閉鎖用蓋を提供し、上記閉鎖用蓋は、単一のプラスティックの品として形成され、上記デジタルデータ記憶用ディスクを支持し保持するように構成されている。
【請求項８５】
請求項84の方法において、上記飲料容器は、円形の上端を有するカップ型の使い捨て飲料容器である。
【請求項８６】
請求項85の方法において、上記閉鎖用蓋は、上記飲料容器の上記上部の円形状の端に載るように適合されているリムを備えた円形の中央部分と、前記データ記憶ディスクを保持するように適合された隆起中央部分とから構成されている。
【請求項８７】
本明細書に記載されかつ添付の図面に参照される容器を用いた販売促進材料の提示方法。
【発明の詳細な説明】
【技術分野】
【０００１】
この発明は、販売促進用材料のキャリアが取り外し可能な方法取り付けられた容器を有する販売促進用システムに関するものである。この容器は、清涼飲料用のボトルといったボトルや、飲料用のカン、または上方開放状の飲料容器といったものである。販売促進用材料のキャリアは、好ましくは、外周の直径が約54mmのコンパクトディスクか、販売促進用トークンである。取り外し可能なように容器とキャリアを固定する様々な方法が採用され得る。
【背景技術】
【０００２】
販売促進のための商品は、現代の世の中で重要な役割を果たしている。今日、商品は過去のものと比べてより精巧な手段で包装されている。特定な製品と共に使われているこの包装や容器は、たいてい、消費者に他の競争商品の中からこの商品を選択することを促すよう、消費者の興味をひく魅力的な方法で情報を提示する。
【０００３】
従来の販売促進のための情報は、一般に、使われている包装や容器の上に実際に提供されていた。例えば、商品に関連するゲームや競技といったものの必要な情報は容器や包装の上に印刷されていた。また、商品を購入した場合のみ消費者が手に入れることができるであろう景品は、一般に、消費者がそれらに対して応募する必要がある。
【発明の開示】
【発明が解決しようとする課題】
【０００４】
単純な景品には商品に含まれているものもあり、商品を開封した後のみ利用可能なように、商品の容器や包装の内側に入っているか、あるいは、それができない場合には、外側に設けられる。そこで、消費者が結果として購入を望むような商品の容器に販売促進用の特質を有する景品を組み合わせるという改良された代替の手法を見出した。
【課題を解決するための手段】
【０００５】
この発明は、取り外し可能に販売促進用材料のキャリアが取り付けられた容器を含む販売促進用システムに関するものである。好ましくは、容器はボトルであり、販売促進用材料のキャリアは、少なくとも片面にデータが予め記録されているコンパクトディスクである。
【０００６】
また、販売促進用材料のキャリアは、少なくとも片面に販売促進用の特質のデータを有するトークンである。
【０００７】
もし、このキャリアがコンパクトディスクであれば、外方の直径は約54mmである。好ましくは、このコンパクトディスクは、予め録音された音楽、予め録画された映像あるいは画像、あるいはコンピュータで読み取り可能な予め記録されたデータ、インターネット上でやりとり可能な予め記録されたデータ、あるいは、電子ゲーム制御機を使用して読み込み可能な予め記録されているゲーム、またはこれらの中のどの組み合わせが入っている。
【０００８】
任意で、この販売促進用システムは、さらに、コンパクトディスクを保持できるアダプタを含み、コンパクトディスクがプレーヤーで再生できるよう、トレイ型のCDプレーヤーに挿入できるような寸法と形状を有している。この場合、アダプタは中央の穴の直径がコンパクトディスクの外径に適合し、該穴に同心状にコンパクトディスクを保持する手段を有し、このアダプタは標準のコンパクトディスクの一般的な形と大きさと異なるものである。
【０００９】
キャリアがトークンである場合、外径が約54mmのディスクである。
【００１０】
ボトルはプラスティックあるいはガラス製、または、他の適した材料から作られている。好ましくは、ボトルは炭酸飲料用のものである。販売促進用システムとして利用する一つの好ましい容器として、首部の開口と該開口を閉鎖するキャップを有する上部と、基部と概ね管状の側面を持つものが好ましいが、他の種類の容器であってもよい。
【００１１】
販売促進用システムには、キャリアと容器を取り外し可能なように結合させるためにさまざまな方法が採用される。
【００１２】
例えば、この販売促進用システムのキャリアは、容器の閉鎖用キャップに取り外し可能に装着される。
【００１３】
あるいは、販売促進用の材料のキャリアは、容器の基部に取り外し可能なように取り付けられる。他には、販売促進用の材料のキャリアは、容器の側面に取り外し可能なように取り付けられ、この場合、好ましくは、販売促進用材料のキャリアの最大サイズは、キャリア上の容器の突出部の最小の寸法よりもおおよそ大きくなってはならない。換言すれば、販売促進用材料のキャリアは、取り外し可能なように取り付けられた表面や接続部におおよそ同一の広がりを持つということである。
【００１４】
また、販売促進用材料のキャリアは、接着手段(means of adhesive)によりを取り外し可能に容器に取り付けられている。さらに別の手段として、販売促進用材料のキャリアは、分離しやすいコーティングやラッピングを使う方法で取り外し可能に容器に取り付けられている。
【００１５】
他の手段として、販売促進用材料のキャリアは、上記容器に、上記容器及び上記キャリアのいずれか一方あるいは両方において、取り外し可能な掛止手段(latching means)で、取り外し可能なように取り付けてある。
【００１６】
さらに別の方法として、販売促進用材料のキャリアは、該キャリアを取り外し可能に保持する掛止手段によって該容器に取り外し可能に装着されており、該容器に取り外し可能に掛止されている。この場合、掛止手段は、上記容器及び上記キャリアから独立していることが好ましい。他の選択としては、上記掛止手段は、上記キャリアの凹部内に取り外し可能に保持されているキャップであり、上記容器の部分に取り外し可能に掛止されている。
【００１７】
他の手段として、記販売促進の材料のキャリアは、上記容器に、容器上に設けられ上記キャリアと連結された手動で取り外し可能な閉鎖手段により、取り外し可能に取り付けられている。さらなる選択として、販売促進用材料のキャリアは、上記容器にボンド接着手段(bonding means)により取り外し可能に取り付けられている。また、上記で挙げた方法は組み合わせても利用可能である。
【００１８】
選択肢として、販売促進の材料のキャリアは、不正にいたずらすることができない方法（tamper-proof）で取り外し可能なように容器に取り付けられている。また、このキャリアは容器の凹部に少なくとも一部分が支持されていることが好ましい。
【００１９】
また、キャリアは、容器の表面に対して保持されていてもよい。
【００２０】
さらに本発明の他の様態は、消費者に販売促進用のシステムを選ばせるようにした商品の販売促進方法であって、上記販売促進用システムは、取り外し可能に取り付けられている販売促進用情報のキャリアを有する容器を含み、上記商品は容器の中に収容されており、上記販売促進用の情報は上記消費者の興味を引き、それによって上記消費者が上記販売促進用システムを購入し、そして上記キャリアを上記容器から取り外して、上記販売促進用情報を得る。
【００２１】
さらに、本発明の他の態様は、販売促進用の情報のキャリアを凹部に取り外し可能に保持するカップを含み、容器のある部分に取り外し可能に掛止されている販売促進用物品に関する。このキャリア及び容器は上記で示したものである。
【００２２】
さらに、本発明の他の広い形式として、コンパクトディスクホルダ機能とコンパクトディスクアダプタ機能とを合わせ持つ販売促進用装置であって、該装置は、コンパクトディスクを容器に取り外し自在に装着するように構成されており、該装置は、さらに、放射状に配置された複数の要素を、内側に向かう放射状の第１共面から外側に向かう放射状の第２共面に回転させることで、ホルダ機能からアダプタ機能へ変換するように構成されているものが提供される。
【００２３】
好ましくは、上記ホルダ機能は、容器に対する、標準サイズの直径を持たない非標準のコンパクトディスクの取り外し可能な取付を提供する。
【００２４】
好ましくは、上記アダプタ機能は、非標準のコンパクトディスクをトレイ型のCDプレーヤーでの再生を提供する。
【００２５】
好ましくは、上記非標準のコンパクトディスクは、標準の120mmのディスクの直径よりも小さい径を有する。
【００２６】
好ましくは、上記容器は、上部に密閉用リムが付いている断面円形状の金属製の飲料容器である。
【００２７】
好ましくは、上記容器は、円形状の蓋を備えたジャーである。
【００２８】
好ましくは、上記容器は、円筒形の基部を持つボトルである。
【００２９】
好ましくは、上記容器は、少なくとも上部に密閉用リムを持つ円形の断面を有するいかなる金属製の缶である。
【００３０】
好ましくは、上記非標準のコンパクトディスクは、容器の外径よりも小さい直径を持つ。
【００３１】
好ましくは、上記装置には下向きに垂下する環状縁部(annular skirt)が設けてあり、上記縁部はスライド装着(sliding fit)によって、上記密閉リムに取り外し可能に係合できるような内径を有する。
【００３２】
好ましくは、上記環状縁部は、スナップ装着(snap fit)によって、該密閉リムに取り外し可能に係合するように構成された、少なくとも一つの内方へ突出する環状の隆起部(ridge)を備えた内側表面を有する。
【００３３】
好ましくは、上記縁部の内径が、押圧装着(press fit)によって、円形状の蓋に取り外し可能に係合するように構成されている。
【００３４】
好ましくは、前記縁部の内径及び内側表面は、ボトルの円筒状の基部に取り外し可能に係合できるように構成されている。
【００３５】
好ましくは、上記縁部は、その上端内方端縁に沿って、上端内方端縁から内側へ半径方向(radially)に延出する複数のリーフ要素(leaf element)に分離可能に連結されている。
【００３６】
好ましくは、上記リーフ要素は略台形状の形状を有し、凹状の湾曲基縁から内側へ半径方向(radially)に先細りになる側端縁を有している。
【００３７】
好ましくは、上記リーフ要素は、中央ハブに分離可能に連結されている。
【００３８】
好ましくは、上記中央ハブは、押圧装着によって、非標準のコンパクトディスクの標準の直径の中心穴に係合することで、上記非標準のコンパクトディスクを保持するように適合された下向きに突出するボスを備えている。
【００３９】
好ましくは、非標準のコンパクトディスクは、上記装置がコンパクトディスクのホルダとして機能しているときに上記装置内に保持されており、上記コンパクトディスクの外径は上記環状縁部の内径内にあり、上記コンパクトディスクの表面が上記リーフ要素の底面に近接しており、上記コンパクトディスクの標準の直径の中心穴が上記中央ハブの下方に突出したボスと係合している。
【００４０】
好ましくは、上記リーフ要素と上記縁部との接続、及び、上記リーフ要素と上記中央ハブとの接続は、ほっそりした(thin、薄肉の、あるいは、細い)壊わしやすい要素によるものである。
【００４１】
好ましくは、上記複数のリーフ要素は、可撓性要素(flexible element)によって、前記縁部の上端内側端に近接する隅部において、つながっている。
【００４２】
好ましくは、上記凹状湾曲基縁が上記縁部の上端内側端に近接し、上記凹状湾曲基縁が上記非標準のコンパクトディスクの半径と同じ半径の弧を形成する。
【００４３】
好ましくは、複数のリーフ要素の各リーフ要素の凹状湾曲基縁は、該リーフ要素の上端から外方に延出する少なくとも一対のタブと、該リーフ要素の下端から外方に延出する少なくとも一つの突縁を有し、該少なくとも一対のタブと少なくとも一つの突縁は間隔を存して離間することで、標準の厚みのコンパクトディスクの端縁を嵌め込むように構成されている。
【００４４】
好ましくは、前記装置のコンパクトディスクのホルダ機能からコンパクトディスクのアダプタ機能への変換は、以下の工程を含む：
(ａ) 前記リーフ要素を前記縁部に接続するほっそりした壊し易い要素を壊して、前記装置から前記縁部を取り外し、
(ｂ) 前記非標準のコンパクトディスクを、前記中央ハブのボスから取り外し、
(ｄ) 前記リーフ要素に接続するほっそりした破壊しやすい要素を壊して、前記装置から前記ハブを取り外し、
(ｅ) 各リーフ要素を、複数のリーフ要素の共通面から、前記可撓性要素において、内方へ放射状の第１共面から外方へ放射状の第２共面へと回転させ、
(ｊ) 前記非標準のコンパクトディスクの端縁を、各少なくとも一対のタブと少なくとも一つの突縁との間に嵌め込み、前記リーフ要素を備えた非標準のコンパクトディスクからなる共面アセンブリを形成する。
【００４５】
本発明の他の広い形式は、容器を備えた販売促進用の材料の提示の方法に係り、上記方法は取付手段を含み、前記取付手段はアダプタ手段に変換可能であり、上記方法は下記の工程を含む：
(ａ) 非標準のコンパクトディスクの形態での販売促進用の材料を用意し、
(ｂ) 非標準のコンパクトディスクを前記取付手段へ挿入し、
(ｃ) 前記取付手段を前記容器へ取り付ける。
【００４６】
好ましくは、上記アダプタ手段は、非標準のコンパクトディスクをトレイ型のＣＤプレーヤーで再生可能にする。
【００４７】
好ましくは、上記非標準のコンパクトディスクは、標準の120mmのコンパクトディスクよりも小さいものである。
【００４８】
好ましくは、上記取付手段は下記の工程でアダプタ手段に変換される：
(ａ) 上記取付手段を上記容器から取り外し、
(ｂ) 上記非標準のコンパクトディスクを上記取付手段から取り外し、
(ｃ) 上記付着手段を上記アダプタ手段を形成するように変更し、
(ｄ) 上記アダプタ手段を上記非標準のコンパクトディスクに取り付ける。
【００４９】
本発明の他の広い形成では、飲料容器の蓋において、閉鎖用蓋は、中央の支持部と販売促進用のデジタルデータの記憶ディスクの保持手段を備えており、上記閉鎖用蓋は単一のプラスティック品から形成されている。
【００５０】
好ましくは、上記飲料容器は、円形の上端を持つ使い捨てのカップ型をした飲料容器である。
【００５１】
好ましくは、前記中央支持手段は、中央隆起円形部分であり、前記部分は、基部における前記記憶用ディスクの中心の穴よりもわずかに小さい直径、上部における上記中心の穴よりもわずかに大きい直径を備えている。
【００５２】
好ましくは、上記飲料容器はプラスティックの材料で形成されている。
【００５３】
好ましくは、上記飲料容器は紙で形成されている。
【００５４】
好ましくは、その周縁に環状逆Ｕ型のリムを備えた円形の中央部分から構成される。
【００５５】
好ましくは、上記円形の中央部分は、円形状の隆起中央部を含み、該隆起中央部の直径は、デジタルデータの記憶ディスクの中心の穴の直径に略等しい。
【００５６】
好ましくは、上記リムは、上記飲料容器の円形状の上端縁に載るように適合されており、上記リムと上記円形の中央部分は、上記飲料容器の内面と上記リムの内側環状表面との間に摩擦による装着を提供するような寸法に形成されている。
【００５７】
好ましくは、上記ディスクが上記円形の中央部分に載置されている時には、上記隆起中央部分が上記円形の中央部分から上方に突出し、デジタルデータ記憶ディスクの上側表面の上に突出している。
【００５８】
好ましくは、上記円形隆起中央部分の底部の直径は、上記中心穴の直径よりもわずかに小さい。
【００５９】
好ましくは、上記円形の中央部分の上に載置されている上記デジタルデータ記憶ディスクの上側表面の上に突出している前記隆起円形中央部分の直径は、上記中心の穴よりもわずかに大きい。
【００６０】
好ましくは、上記隆起円形中央部分は、その上に十字を形成するように配置されたスリットを備えており、飲料用のストローを突き刺せるようになっている。
【００６１】
好ましくは、上記環状リムに隣接した上記円形中央部分の環状部分は、凹んだ溝部を形成しており、上記デジタルデータ記憶ディスクの表面が該凹んだ溝部上に重なっている。
【００６２】
好ましくは、上記デジタルデータ記憶用ディスクは約80mmの直径を持つ。
【００６３】
好ましくは、上記デジタルデータ記憶用ディスクは円形の透明な保護用スリーブを備えている。
【００６４】
本発明の他の広い形式では、使い捨ての飲料容器を備えた販売促進用のデジタルデータ記憶ディスクを消費者に用意する方法であって、上記方法は上記飲料カップを備えた閉鎖用蓋を提供し、上記閉鎖用蓋は、単一のプラスティックの品として形成され、上記デジタルデータ記憶用ディスクを支持し保持するように構成されている。
【００６５】
好ましくは、上記飲料容器は、円形の上端を有するカップ型の使い捨て飲料容器である。
【００６６】
好ましくは、上記閉鎖用蓋は、上記飲料容器の上記上部の円形状の端に載るように適合されているリムを備えた円形の中央部分と、前記データ記憶ディスクを保持するように適合された隆起中央部分とから構成されている。
【発明を実施するための最良の形態】
【００６７】
図１において、販売促進用システム１は、上部表面３、基部４、そして側面５を持つ清涼飲料のボトル２から構成される。上部３は、首部６及びキャップ７を有している。販売促進用の情報のキャリアであるコンパクトディスク８は、カップの底部の凹部内において、カップ９に保持されている。カップ９は、ボトル２の基部４の周りに取り外し可能に取り付けてある。
【００６８】
図２において、販売促進用システム１は、上部表面３、基部４、そして側面５を持つ清涼飲料のボトル２で構成されるものを表示している。上部３は首部６及びキャップ７を有している。音楽をCDプレーヤーで再生できるような販売促進用の情報のキャリアであるコンパクトディスク８がある。
【００６９】
コンパクトディスク８は、取り外し可能な掛止手段として機能するカップによって、ボトル２の基部４に取り外し可能に取り付けてある。コンパクトディスク８は、ボトルの基部４と側面５の直径と等しい直径；例えば約54mmの直径を持つ。カップ９は、カップの基部内にCDが保持されるよう、CD８と同じ大きさの凹部を基部に持つ。この実施例において、CDが凹部内に位置している時に、CDの上部表面のすぐ上に位置している凹部にCDを保持するくぼみ１０によって行われる。CD８は、カップの基部を指で押すことで凹部から取り外すことができる。プラスティックの材料でできたカップは、CDがくぼみをこえて凹部に飛び出るよう変形しやすくなっている。
【００７０】
カップ９は、基部の回りにぴたりとはまるようなボトルの基部４領域の寸法と同じ寸法の側部１２を有し、基部の周囲にぴったりと嵌るようになっている。カップの基部は平らであり、カップが所定の位置にあるときにボトルを立たせられるようになっている。カップ９はボトルの基部の周囲に装着されており、この実施例では、小さな隆起部１３がカップの上端縁の周りに延出しており、ボトル２からカップ９を取り外すことを促進させるフィンガーグリップとして機能する。
【００７１】
図３は、ボトル２、カップ９、所定位置にあるCD８を備えた、同様の販売促進用システムの一部断面図である。カップ９はボトルの基部４領域の周囲にしっかりと嵌合している。（図２の図は、明確のため、カップとボトルの表面の間のすきまを誇張している）。カップ９は、ボトルの底とCDの間に隙間１３を残すように設計されていることが好ましい。こうすることで、情報を担持するCDの表面が、ひっかき傷又は損傷を受けることを妨げるのに役立っている。
【００７２】
カップの材料は、ボトルの重さを支えるのに充分頑丈であり、そしてカップからCDを取り外すことができるほど充分に柔軟である。CDの中心の穴１４は図３に表されている。
【００７３】
いくつかのボトルには、図２の１５示すように、基部の周りに補強用のくぼみがあるが、図１のようにくぼみがないものもある。カップの側面１２は、これらのくぼみのパターンに適合してもしなくてもよい。図２において、CDを定位置に保持するために、くぼみ以外の手段を利用することができる。複数の方法を用いても良い。
【００７４】
図４では、発明の他の実施例の一部を形成するキャップを表している。この実施例において、キャップ２はその上部の表面に掛止手段を含んでいる。掛止手段は、キャップ上の定位置にCDを保持するべく、CDの中心の穴に係合する複数の可撓性歯部から構成されている。キャップと定位置に付着してあるCDを備えたボトルの上部は、一つの好適な実施例では、カップ配置によって覆われており、上述したものに類似しているが、カップの中にCDを保持する凹部は含まない。あるいは、カップは保護用フィルムを有しないか、あるいは、ボトル／キャップ／CD配置は保護用のフィルムで覆われている。
【００７５】
図５において、ボトル２は、ボトルの側面５に位置する凹部２５を有し、キャップ上の定位置にCDを保持するべく、CDの中心の穴に係合する複数の可撓性歯部から構成されている掛止手段を備えている。ボトルの上の保持用のラベル２８は、それを定位置に保持するのに役立っている。ラベルは、ボトルの側面に直接印刷あるいは糊付けされているラベルのデザインに調和するプラスティックからなる別個のストリップでもよい。別のものとして、それは透明なストリップ、あるいは、ボトル全体を覆っている包装材でもよい。保持ラベル２８はまた、これら無しでもよい。
【００７６】
どんな形の容器も販売促進用システムに利用できるが、容器はボトルであることが好ましい。しかしながら、容器はまた、缶、ブリキ製容器、フラスコ、ジャー、大型酒瓶、デカンタ、ポット、特に取り外し可能なカバーを備えたカップ等であってもよい。容器は人が消費する炭酸飲料といった飲料を保持するのに適した容器であることが好ましい。
【００７７】
ボトル、または他の容器は、プラスティックやガラスなどといった適切な材料で作られている。もし、容器が炭酸飲料用のボトルであるのならば、ガラスやPETボトルから作られていることが理想的である。
【００７８】
販売促進の材料のキャリアは、販売促進用材料を担持するCD、トークン、またはチケットであることが好ましい。コンパクトディスクや他の適した情報担体は、多種の異なった型の情報、予め録音された音楽、予め録画された映像や画像、コンピュータで読み込み可能な、あるいは、インターネットでやりとり可能な、予め記録されたデータ、携帯電話で利用できる他の情報システム、また他には電子ゲーム機で読み込み可能な予め記録されたゲームを含むが、これらに限定されない、を含む。これらの情報の型はすべて消費者に価値のあるものであり、それによって容器を購入することを促進させ、そして最も重要なこととして、容器の中には商品が入っている。
【００７９】
本明細書で使用されているように、コンパクトディスクという用語は、CDプレーヤーで再生可能なすべてのデバイスを含み、通常中心穴を有し、この穴でディスクを保持するような型のプレーヤーでの再生を可能としている。
【００８０】
コンパクトディスク（または“CD”）は、デジタルデータを収容する型形成されたプラスティックディスクである。低パワーのレーザービームでディスクを走査して、記録された情報を再生する。コンパクトディスクはフィリップエレクトロニックスN.V. とソニー コーポレーションによって1980年に発明され、デジタル音響再生のために1982年に商業的に導入された。コンパクトディスクは、音響録音を超えて、特にコンピュータ（例：CD-ROM、CD-R、CD-RW）や娯楽システム（例：ビデオディスク、ＤＶＤ）などとして、他の格納やデータ分類の用途に拡張されている。
【００８１】
標準のＣＤの直径は120mm（4.75インチ）、厚さは1.2mm（0.05インチ）であり、中心に円形の穴を持つ。CDは、透明でポリカーボネート樹脂、反射性金属層、及びアクリル樹脂からなる透明な保護用の被覆で構成される。反射性金属層は、非常に小さなくぼみ（ピット）とディスクの内側の穴から周縁に巻いている渦巻き状の線路（溝）の形式でデータを保持する。隣接する溝の中心は1.6マイクロメートルの間隔である。中心の穴の直径は15mmである。
【００８２】
直径80mm（3.1インチ）の小さめのCD（例：ミニディスク）もまた、音響のために使用できる。また、ビデオディスク（例：レーザーディスク）用などの直径120〜300mm（4.7〜11.8インチ）の大きめの型もある。
【００８３】
DVDは標準のCDと同じ大きさであるが、標準のCDがDVDプレーヤーで読み込み可能なのに対して、DVDは標準のCDプレーヤーでは読み込み不可能である。DVDのディスクには標準CDより小さなくぼみと線路間隔を持つ。
【００８４】
CDの種類の中には、円形ではないもの、例えば長方形や正方形のものがある。また、中心に穴のないものや、両面再生型のCDも存在する。
【００８５】
発明の実施例として好ましいCDの一つとして、それが取り付けられている容器と等しい大きさが理想的である。この例として、外径が54mmの円型である通常のCDよりも小さいものがあるが、これに近い他の大きさのものでも可能である。中心穴は標準のCDのものに適合することが理想的である。販売促進用システムに利用するCDは一つの一定の直径を備えたものに選択され、径54mmであることが好ましい。
【００８６】
このCDは、外径は異なるが、他のCDが一般的に製造されているものと同じ方法で製造され、同じ材料である通例のポリカルボン酸ポリマーで作られている。
【００８７】
通常、CDには二つの型のプレーヤーがある。一つはプレーヤーで読み込む際にCDを中心の穴で支える方法を持つ型で、もう一つはCDの外側の端をトレイに載せてCDを固定させる方法を必要とする型である。本発明の一つの好ましい実施例である小さめのCDは、一つ目の型のプレーヤーで作動するが、二つ目の型のプレーヤーで作動させるにはアダプタを必要とする。このアダプタは、標準の大きさのCDよりも小さいCDをプレーヤーのトレイで支えて標準のCDのように作動させるものである。
【００８８】
このようなアダプタを設けるのは任意である。しかし、もし容器が飲料用のボトルであるならば、そのようなアダプタは、例えば、６箱分の大口包装、カートン、または他のボトルの大口包装の中に含ませることができる。
【００８９】
アダプタはいかなる大きさのコンパクトディスクをも保持することができ、コンパクトディスクとアダプタの組み合わせをトレイ型のCDプレーヤーに挿入することができる。アダプタは、キャリアであるCDの直径に適合する中心の穴を持ち、さらにそれを定位置に保つ手段を持つ。その他の点では、それは標準のCDと同じ形と大きさのもの、すなわち120mmの直径と1.2mmの厚さをもつ。
【００９０】
アダプタの中心の穴でCDを定位置に保つのに適した手段であれば、どのようなものでも使用可能である。例えば、アダプタの内径はわずかに凹状で、キャリアCDの外径及び厚さよりも少し大きく、この二つを小さい圧力で一体に留めることを可能にする。アダプタは取り外し可能であり、したがって、他のキャリアCDにも使用可能であるか、又は不変に取り付けられていてもよい。その他の点では、小さいクリップあるいは他の手段が、アダプタとキャリアCDを一体に保持するのに使用される。
【００９１】
アダプタは、その重さを軽減させるために、無垢な環状のものあるいは空隙のパターンが入ったものでもよい。アダプタは適切ないかなる材料で組み立てられているが、望ましくは、プラスティックといった比較的安価な材料で作られる。また、アダプタそのものが、キャリアのCDと共に再生可能であるコンパクトディスクの一部であってもよい。
【００９２】
アダプタはその表面に、内側のキャリアコンパクトディスクを接続するための説明書と共に、広告や販売促進用の材料を含んでいてもよい。キャリアコンパクトディスク上の情報とやり取りできる販売促進用の情報を有していても良い。例えば、勝つためにはキャリアと同様にキャリアコンパクトディスク（キャリアがCDでない場合は非CD品）の上に情報記載を必要とする競技がある。他の例として、アダプタは、電子ゲームを作動させるソフトウェアを持つCDの一部であり、一方、取り替え可能なキャリアCDの一部にソフトウェアで作動するための他のデータ、あるいは、ゲームシナリオ、レベル、増設を収容している。
【００９３】
キャリアは、コンパクトディスクの代わりに、販売促進のトークンやチケットであってもよい。このようなトークンは、キャリアが取り付けられた容器が購入され、キャリアが取り外された後でも普通に回復可能であるような、一般に書かれてあるか、図示された、販売促進用の情報を収容している。
【００９４】
これを達成する手法として、円形の平らなトークンは、硬いプラスティックや板紙、金属といった弾性材料からできており、販売促進用の情報が、一側、理想的には、それが取り付けられた容器の表面に最も近接する内側面に、設けてある。トークンの他側（外側）には、さほど重要ではない特質の販売促進用の材料または広告材料などといった他の情報が設けられる。理想的には、内側面にある販売促進用材料はチケットが取り除かれるまで識別できない。さらに、内側面には、容器からトークンを取り外して、被覆層を剥がしとってはじめて識別できる不透明な被覆層を持つ。例えば、販売促進用材料は競技の回答である。
【００９５】
トークンは、装着してある表面と類似の寸法を有していることが好ましい。このようなトークンは54mmほどの直径を持つ円形のディスクである。他の大きさのものを代わりに選んでもよい。
【００９６】
トークンとCDは組み合わせて取り付けてもよい。多数のトークンやCD、またはCDとトークンの混合物を容器に取り付けてもよい。
【００９７】
販売促進用システムの利用に適した容器の一例として、開口部の閉鎖キャップを有する首部開口部を備えた部上部表面と、基部と、概ね管状の側面を持つものが挙げられる。そして、この管状の側面は、好ましいフラットディスクCDおよび／または販売促進用の情報のトークンキャリアに概ね適合する。
【００９８】
キャリアは、容器に対して多様な位置で取り付け可能である。例えば、キャリアは閉鎖用キャップ、容器の基部、またはその側面に取り付けられる。上述のように、キャリアとそれが固定されてある容器の相対的な寸法は類似している。これは、も54mmのCDが清涼飲料用のボトルのキャップに固定されている場合には、その全部の大きさはボトルの胴体中央部の大きさに等しく、包装や保管、また運送の便宜に影響が及ぼさないことを意味している。もしキャリアが清涼飲料用のボトルの基部に固定されている場合、例えば、54mmのCDやトークンは通常はボトルの基部領域の直径とおおよそ同じ大きさである。
【００９９】
キャリアと容器との取付方法の一つとして、取り外し可能な接着剤を用いることがあり、理想的には二つの品目を手動ではずせるが、購入までそれらを固定するのには充分頑丈であり、接着剤の材料はその過程においてどちらの品目にも損傷を与えることがないものである。
【０１００】
他の取り付け方法として、二つの品目を一緒に配置し定位置に固定させるのに、双方の品目の一部または全部を囲む分離可能な被覆物または包装物を利用することが挙げられる。これは、キャリアと容器とを取り外すために購入した後に、手動で取り除くことができるような、熱可塑性材料からなるシュリンクラッピングを含む。
【０１０１】
別の方法として、容器とキャリアのいずれか一方あるいは両方に位置して、それらと一体の取り外し可能な掛止手段を用いた方法がある。この例として、掛止手段を用いて、CDや中心穴を有するトークンをキャップの頂部やボトルの首部の回りに、あるいは、キャップの剥ぎ取り部分に取り付ける。CD、あるいは穴を有するトークンは、図４に示すような円形状で柔軟な歯のセットを含む掛止手段に固定される。あるいは、CDあるいはトークンは、おそらくそれらの外方端の周りに位置して、例えば、曲げ可能かつ掛止可能な歯のセットとしての、それらと一体の掛止手段を有し、ボトルの頂部や基部を握持する。これらの例において、これらの手法は、さらなる強化と、勝手にいじれないようにするために、品目を一体とするシュリンクラッピングを組み合わせてもよい。
【０１０２】
さららなる代替において、販売促進用システムは、販売促進用材料のキャリアが、キャリアと連結されている容器の上に、手動で取り外し可能な閉鎖手段により取り外し可能なように容器に取り付けてあるものでもよい。これは、例えば、容器上にリングプルの閉鎖体を有することで、CDの中央穴を突出させてキャリアを定位置に保持し、リングプルが容器を開けるために利用されるときにのみ取り外しができる。
【０１０３】
また、キャリアは、キャリアの形をしたニッチや凹部で保つよう、容器に取り外し可能な方法で固定されている。その例の一つが図５にて示されている。
【０１０４】
本システムを、より勝手にいじれなくするべく適用された追加方法を有してよい。これは、勝手にいじることが試みられると、破壊され、あるいは、それを表示するような包装や被覆を追加することを含む。販売促進用システムを勝ってにいじれなくするような従来のいかなる手法も利用可能である。
【０１０５】
さらに、この販売促進用システムは、二つの品目を取り外し可能なように固定するものとして知られる、他のボンド接着手段によって、販売促進用の材料のキャリアを容器に取り外し可能なように取り付けてあってもよい。
【０１０６】
さらなる好ましい取り組みとして、取り外し可能なようにキャリアを保持し、取り外し可能なように容器に掛止する掛止手段を用いても良い。掛止手段は、例えば、キャリア及び容器から独立している。もしくは、要望があれば、他にいくつかの取付手段を有している。独立した掛止手段は、図１，２，３に示したカップである。
【０１０７】
このカップは、いかなる適した材料、特にプラスティックの材料からなり、とりわけ、安く軽い材料であって、CDやトークンを中で保持するのに充分な強度及び弾力性があり、ボトルや他の容器の基部に掛止でき、ボトルを壊したり、割ったり、損傷させたりすることなく重量を支持できるものである。理想的には、キャリアは取り外し可能なようにカップの基部内の区画部に支持されており、CD（または、トークンにおいては、重要な販売促進用の情報を含む側）の再生可能な表面、カップ内部へ向かうように配向している、と、ボトルの基部表面との間に空間が存在している。
【０１０８】
理想的には、カップの縁部の周りには、突出した縁が、あるいは、他のくぼみ、突起等を設け、カップとそのキャリアコンテンツを、その飲料が購入された後に容易に取り外せるようフィンガーグリップとして機能させる。
【０１０９】
販売促進が支持する型や状況によって、カップは透明であり、カップの材料を通してCDあるいやトークンの片面が見えるようになっているか、あるいは、これを隠すために不透明になっている。カップには、例えば、広告や追加の販売促進用の情報、または魅力的な画像が印刷されていてもよい。
【０１１０】
このカップにはさらに予期しない利点があり、それは、一旦キャリアが取り外されると、清涼飲料のボトルの内容物のための飲料容器として利用可能であるということである。あるいは、カップに計測用目盛りや他の量の指標を設けることで、容器の内容物の量を計るために利用できる。また、カップは他の人と内容物を分け合うのに利用できる。カップはまた、それが収容するCD用ジュエルケースを含むかジュエルケースとして構成されてもよく、再生されていないときにCDを保管及び保護するようにしてもよい。別個の従来のCD用ジュエルケースは、要望があれば、販売促進用システムを備えているか含ませてもよい。
【０１１１】
発明のさらなる態様は、販売促進用の情報のキャリアを凹部に取り外し可能に保持するカップを有する販売促進用の商品を含み、カップは、容器の一部に取り外し可能に掛止される。
【０１１２】
これらの販売促進用商品において、好ましくは、販売促進用の情報のキャリアはコンパクトディスク、あるいは少なくとも片面に販売促進の特質のデータを有するトークンである。また、好ましくは、販売促進用の情報のキャリアは、外径が54mmのディスクである。それには中心の穴があってもなくてもよいが、通常は、キャリアとしてのCDは穴を有している。
【０１１３】
理想的には、この販売促進用商品において、容器はボトルであることが好ましい。理想的には、カップはボトルの基部に取り外し可能に掛止されており、カップを外すことで、その凹部内部のキャリアへのアクセスができる。好ましくは、凹部がカップの基部に位置し、カップが取り外し可能なようにボトルの定位置に掛止されているとき、キャリアとボトルまたは他の容器の基部との間にある凹部の定位置に存在しているとき、キャリアの上に空間ができる。
【０１１４】
カップはいかなる適した材料から作られていてもよい。この材料は、キャリアあるいはそれ自身に損傷を与えることなくボトルを支えるだけの強度を持つ。材料は、透明、あるいは不透明であってもよく、また、さまざまな方法で着色あるいは印刷されていてもよい。
【０１１５】
図６を参照する発明のさらなる好適な実施例において、飲料用ボトル（図示せず）の基部への装着に適合されたコンパクトディスクのホルダ及びアダプタ１００を示す。コンパクトディスクのホルダ及びアダプタ１００は、環状の縁部(annular skirt)１１２、中央ハブ(central
hub)１１３、そして複数のリーフ(leaf)１１４で構成される。コンパクトディスクのホルダ及びアダプタ１００は、いかなる適した材料から形成されるが、比較的に堅いがしなやかなプラスティックから射出成形されることが好ましい。
【０１１６】
さらに図６において、縁部１１２は、隣接するリーフをそれぞれ連結する可撓性湾曲要素(flexible curved element)１１６に近接する複数のブリッジング突部(bridging lug)１１５の対によって、複数のリーフ１１４に連結されている。そして、リーフ１１４の内方縁は、ブリッジング突部(bridging lug)１１７によって中央ハブ１１３に連結されている。この構成は、図７と８（飲料用のカンのアダプタの部分）においてより明瞭に示されており、同様の構成要素には、１００を加えることで番号が付されており、例えば、構成１１３は２１３となる。
【０１１７】
縁部１１２の内側の表面１１８はコンパクトディスクのホルダとアダプタ１００が意図するように取り外し可能に飲料容器のボトルの基部に取り付けられるよう適合されている。本実施例の内側の表面１１８は環状リング１１９を備えており、ぴったりとしたスライド装着によって、ボトル基部の周囲を把持するようになっている。中央ハブ１１３は、リーフ１１４の上部の表面上に突出するよう形成されており、ハブとコンパクトディスクの標準の中心穴の間における押圧装着によって、コンパクトディスク（図示せず）を保持できるよう適合された直径を持つ。
【０１１８】
図７は、飲料用の缶の上部に取り付けられたアダプタ２００に保持されているコンパクトディスク２２１の保持に適合した本実施例の例を示している。
【０１１９】
図９及び図１０に示すように、リム２１２に近接するリーフ２１４の縁２２２は、半径‘R’で湾曲しており、Rは、コンパクトディスクのホルダ及びアダプタ２１０の中で支えられるコンパクトディスクの半径である。端縁２２２は、端縁２２２の外方端に向って位置して、リーフ２１４の上端表面から延出する対のタブ(tab)２２３と、端縁２２２の中央部位において、リーフ２１４の下端表面から延出する一つの突縁(ledge)２２４を備えている。対向するタブ２２３の内方表面と突縁２２４の間の分離Tは、図９に拡大断面で示してあり、標準コンパクトディスクの厚さと同じである。
【０１２０】
コンパクトディスクを有効利用するのに、最初に、コンパクトディスクを、コンパクトディスクホルダ及びアダプタ２１０から取り外す。これはまず、ほっそりした各ブリッジング突部を丁寧に壊して縁部２１２を取り外し、コンパクトディスクをハブ２１３から良好に取り外す。そして、ほっそりした連結突部２１７を壊して、ハブ２１３を、リーフから取り外す。こうすることで、複数のリーフ２１４を、それらの初期の面から可撓性湾曲要素２１６において、外方に回転させることを可能とし、その結果、リーフ２１４のアレイを内側から外側に回転させて再び元の面内に位置させるが、ここでは、複数のリーフは図１０に示すような外側へ突出する星型パターンを形成する。これで、コンパクトディスクアダプタ３００となる。
【０１２１】
リーフ２１４の端縁２２２は、直径２Rの円上に位置し、この直径は飲料用缶と共に供給される小さいコンパクトディスクの直径に等しくなる。最初に中央ハブ２１３に近接していた外方端縁２２５の隅部２２５は、標準の120mmコンパクトディスクの直径である直径‘D’を有する円２２６を規定する。
【０１２２】
この小さいコンパクトディスク（図４では明瞭に示されていない）は、コンパクトディスクの端縁がタブ２２３と突縁２２４の間で保持されるように、アダプタ３００に嵌め込められている。この小さいコンパクトディスクとアダプタ３００は120mmのコンパクトディスクを擬する一つの平面上に位置し、トレイ型のCDプレーヤーに標準のコンパクトディスクと同じ様式で挿入できる。
【０１２３】
本発明のさらなる実施例において、コンパクトディスクのホルダの容器への取り外し可能な取付は、上部開放状の飲料容器の蓋の形式をなす。テイクアウトのフードアウトレットやスナックバーで使用される使い捨ての飲料容器は、販売時点から消費時点まで運ばれる間に飲み物がこぼれることがないよう、よく、スナップオン蓋や摩擦装着の蓋が装着されている。本発明の実施例は、この目的に適した蓋を提供するものであり、そして、それに加えて、コンパクトディスク（CD）やデジタルビデオディスク（DVD）といった記憶デジタルディスクの形で消費者に販売促進用の品目を供給するようになっている。
【０１２４】
図１１及び１２において、閉鎖用蓋４００は、円形の上端縁４２１を持つ標準の使い捨ての飲料用カップ４２０の形の飲料容器に装着されている。閉鎖用蓋４００は、少なくとも一つの好ましい形として、例えば熱可塑物質といった単一の薄いプラスティックの材料で形成された単一のピースから形成されている。
【０１２５】
図１２に最もよく示されているように、閉鎖用蓋４００は円形状の中央部分４２２から成り、その周囲に環状の逆“U”型のリム４２３が設けてある。円形中央部分４２２はさらにその中心において、隆起中央部分４２４が設けてある。閉鎖用蓋４００の少なくとも一つの好ましい形として、リム４２３に近接した円形中央部分４２２の環状部分は、中央部分４２２のレベルに対して凹んでおり、環状の溝部が形成されている。
【０１２６】
逆“U”型のリム４２３は、標準の使い捨てのカップ型の飲料容器の端縁４２１上に嵌るような直径を有するように、形成されている。典型的には、このような容器は、構成材料に依存して丸められたりあるいは巻かれた端縁が備わっており、そして、閉鎖用蓋４００の少なくとも一つの形式では、リム４２３は、端縁４２１との軽いスナップ装着を形成するように構成された追加のくぼみ（図示せず）を有している。あるいは、また、それに加えて、“U”型のリムの内側の足部と環状のくぼみの間の接合点４２９における直径は、容器４２０の内側表面４３０に摩擦装着を提供するようになっている。
【０１２７】
円形の中央部分４２２は、デジタルデータ記憶用ディスクを支持するように構成されており、そして、ディスク４２６を保持するように構成された隆起中央部分４２４を有している。また、飲料用のストローの挿入を可能にするために、図１で示されているような十字型の切り込みを設けてもよい。
【０１２８】
隆起中央部分４２４は、円形の中央部分２２の上端表面４２７に配置されたデジタルデータ記憶ディスク２６の中心の穴４２７を通って突出するような高さを有している。
【０１２９】
隆起中央部分４２４は、中心の穴４２７を突き抜けて通過する、隆起中央部分４２４の部分の直径D1が中心の穴４２７よりも若干小さく、デジタルデータ記憶ディスク４２６の上端表面の上で延出する、隆起中央部分４２４の部分の直径D２が、中心の穴４２７の直径よりも若干大きい、ように形成されている。
【０１３０】
閉鎖用蓋４００のプラスティックの材料は充分に変形可能かつ弾性を有し、円形の中心部分２２の上に位置させるように、デジタルデータ記憶ディスクの穴を大きい直径D２の上を押し超えることを可能とする。そして、隆起中央部分４２４の上端部分は、元の直径に復帰して、ディスクを使用要求されるまで、定位置に保持する。隆起中央部分４２４上の保持位置からディスクを取り外すことは、容器の中身をこぼす可能性を伴うような過度の力の適用やリム４２３の変形の引き起こしを行うことなく、簡単に行うことができる。
【０１３１】
発明の好ましい実施例の少なくとも一つでは、デジタルデータ記憶ディスクは円形の透明な保護用のスリーブ（図示せず）を備えている。このスリーブはディスク４２６の中心の穴４２７と略同じ中央穴を備え、その外周の周りが密閉されている。
【０１３２】
本発明の範囲を逸脱することなく、本発明の精神に従って、本発明の自明な変形が行われることは明白であり、これらは本発明の一部であることが意図されている。
【図面の簡単な説明】
【０１３３】
【図１】図１は、販売促進用システムの実施例の一つを表しており、キャリアがボトルの基部に取り付けらた分離したカップ内に保持されている。
【図２】図２は、図１に示す実施例に対して、わずかに異なった実施例を、より詳細に図示しており、掛止カップと、CDキャリアと及びボトル容器が分離して示されている。
【図３】図３は、図１と２の実施例の断面図を表しており、掛止カップと、CDキャリア及びボトル容器が定位置にて示されている。
【図４】図４は他の実施例に関するものであり、キャリアがボトルのキャップの上に保持されており、ボトルのキャップは、CDキャリアを保持するための一体的な掛止機構を備えたボトルキャップを示している。
【図５】図５は、さらに、販売促進用システムの別の型を表している。この例では、CDはボトルの側面の凹部に保持されており、ラベルで覆われている。
【図６】図６は、CDがトレイ型のCDプレーヤーで再生できるようなアダプタ手段によるCDのボトル基部への取付の販売促進用システムの斜視図である。
【図７】図７は、CDがトレイ型のCDプレーヤーで再生できるようなアダプタ手段によるCDの飲料用缶の上端部への取付の販売促進用システムの斜視図である。
【図８】図８は、図７のアダプタの部分である。
【図９】図９は、図７、８のアダプタの部分断面図である。
【図１０】図１０は、トレイ型のCDプレーヤーにおいて本発明に従って販売促進用CDを再生するよう構成された時の、図６あるいは図７乃至９のアダプタの斜視図である。
【図１１】図１１は、飲料容器の閉鎖用蓋に取り付けとしての、データディスクの用意のための販売促進用システムの他の型の斜視図である。
【図１２】図１２は、図１１の販売促進用システムの側断面図である。
【図１】
2006518309.tif 000003
【図２】
2006518309.tif 000004
【図３】
2006518309.tif 000005
【図４】
2006518309.tif 000006
【図５】
2006518309.tif 000007
【図６】
2006518309.tif 000008
【図７】
2006518309.tif 000009
【図８】
2006518309.tif 000010
【図９】
2006518309.tif 000011
【図１０】
2006518309.tif 000012
【図１１】
2006518309.tif 000013
【図１２】
2006518309.tif 000014
【国際調査報告】
2006518309.tif 000015
2006518309.tif 000016
2006518309.tif 000017
2006518309.tif 000018
2006518309.tif 000019